(57)【特許請求の範囲】
【請求項１】
互いに間隔をおいてほぼ平行に配置された第１及び第２の主壁と、
第１及び第２の主壁の一端部同士を結合している連結壁と、
第１及び第２の主壁における前記連結壁側からその反対側の他端部側まで互いに間隔をおいて伸びた２つの切れ目を第１及び第２の主壁にそれぞれ入れることによって形成された第１及び第２の舌片部とを、
具備し、第１の舌片部は第２の主壁側に、第２の舌片部は第１の主壁側に、それぞれ起こされている
条体の容器。
【請求項２】
請求項１記載の条体の容器において、第１及び第２の舌片部の前記他端部側の端部から前記連結壁側に向かう互いに間隔をあけて位置する２つの切れ目を形成することによって折り曲げ片が形成され、この折り曲げ片が第１及び第２の主壁に対して傾斜するように、前記折り曲げ片の両端がそれぞれ折り曲げられている条体の容器。
【請求項３】
請求項１記載の条体の容器において、第１及び第２の舌片部の前記連結壁側の端部が第１及び第２の主壁につながっており、第１及び第２の舌片部の長さ方向に直交する方向に沿って折り曲げられている条体の容器。
【請求項４】
請求項１記載の条体の容器において、第１及び第２の舌片部の前記連結壁側の端部が、第１及び第２の主壁に入れた切れ目によって第１及び第２の主壁から分離されることによって、第１及び第２の主壁に孔が形成されると共に、第１及び第２の舌片部の連結壁側の端部が形成され、前記孔の第１及び第２の前記連結壁側の端部に対応する部分に形成された切り目に、第１及び第２の舌片部の連結壁側の端部が挿入されている条体の容器。
【発明の詳細な説明】
【技術分野】
【０００１】
本発明は、例えば糸や紐のような条体を８の字状に巻いて収容する容器に関する。
【背景技術】
【０００２】
例えば釣り糸を８の字状に巻いて収容する容器の一例が特許文献１に開示されている。特許文献１の技術によれば、同じ大きさの長方形状である第１及び第２の主壁が間隔を開けて互いに平行に配置され、第１及び第２の主壁の一方の端部が結合体によって結合され、側面形状がコ字状とされている。第１の主壁の内面から、第２の主壁側に向かって第１の突出部が突出し、第２の主壁の内面から、第１の主壁側に向かって第２の突出部が突出している。第１の主壁の内面の結合体側から反対側に向かって第１の片状部が伸延し、その中途の裏面が第１の突出部に結合されている。第２の主壁の内面の結合体側から反対側に向かって第２の片状部が伸延し、その中途の裏面が第２の突出部の突出端部に結合されている。８の字に巻かれた釣り糸の交差部分を結合体側に位置させ、８の字状に巻いた糸の２つのループの一方が第１の突出部に架けられ、他方のループが第２の突出部に架けられている。
【先行技術文献】
【特許文献】
【０００３】
【特許文献１】特許第３８９９１１７号
【発明の概要】
【発明が解決しようとする課題】
【０００４】
このように構成された糸の容器を製造する場合、第１及び第２の主壁に第１及び第２の突出部を設けた上に、第１及び第２の主壁とは別個に第１及び第２の片状部を準備し、これら第１及び第２の片状部の中途を第１及び第２の突出部に取り付けなければならず、その製造が面倒であった。
【０００５】
本発明は、製造が容易である条体の収容容器を提供することを目的とする。
【課題を解決するための手段】
【０００６】
本発明の一態様の条体の収容容器は、第１及び第２の主壁を有している。第１及び第２の主壁は、互いに間隔をおいてほぼ平行に配置されており、例えば矩形に形成されている。他の形状、例えば円板状や楕円状に第１及び第２の主壁を構成することもできる。第１及び第２の主壁の一端部同士を連結壁が結合している。連結壁と第１及び第２の主壁とを、１枚のシートによって構成すると、製造が容易になる。第１及び第２の主壁における前記連結壁側からその反対側の他端部側まで互いに間隔をおいて伸びた切れ目を第１及び第２の主壁に入れることによって、第１及び第２の舌片部が形成されている。第１の舌片部は第２の主壁側に、第２の舌片部は第１の主壁側に、それぞれ起こされている。８の字に巻かれた条体、例えば糸の交差部分が、連結壁の近傍に位置し、ループ部分が、それぞれ第１及び第２の舌片部における他端部側に位置する。
【０００７】
このように構成された条体の容器では、第１及び第２の舌片部が第１及び第２の主壁を切り起こすことによって形成されているので、その製造が容易である。
【０００８】
第１及び第２の舌片部の前記他端部側の端部から前記連結壁側に向かう間隔をあけて位置する２つの切れ目を形成することによって折り曲げ片を形成することができる。この折り曲げ片が第１及び第２の主壁に対して傾斜するように、前記折り曲げ片の両端がそれぞれ折り曲げられている。
【０００９】
このように構成すると、折り曲げ片それぞれに、８の字に巻かれた糸のループ部分の先端を架けることができる。
【００１０】
第１及び第２の舌片部の前記連結壁側の端部が第１及び第２の主壁に連なっており、これら端部を第１及び第２の舌片部の長さ方向に直交する方向に沿って折り曲げることができる。このように構成すると、例えば連結壁を内側に折り曲げることが可能となり、収容される糸の量に応じて第１及び第２の主壁間の高さを調整することができる。
【００１１】
第１及び第２の舌片部の前記連結壁側の端部を、第１及び第２の主壁に入れた切れ目によって第１及び第２の主壁から分離することによって、第１及び第２の主壁に孔を形成すると共に、第１及び第２の舌片部の連結壁側の端部とを形成することができる。前記孔の第１及び第２の前記連結壁側の端部に対応する部分に形成された切り目に、第１及び第２の舌片部の連結壁側の端部が挿入されている。このように構成すると、第１及び第２の舌片部の連結壁側の端部が第１及び第２の主壁に接触するので、収容された条体のループ部分が浮き上がろうとしても第１及び第２の主壁の連結側の端部によって押さえられ、条体が浮き上がることが防止できる。
【発明の効果】
【００１２】
以上のように、本発明によれば、第１及び第２の主壁から第１及び第２の舌片部が切り起こされるので、その製造が容易である。
【図面の簡単な説明】
【００１３】
【図１】本発明の第１の実施形態の条体の収容容器の平面図及び縦断側面図である。
【図２】図１の条体の収容容器の展開図である。
【図３】本発明の第２の実施形態の条体の収容容器の展開図である。
【図４】図３の条体の収容容器の平面図及び部分破断側面図である。
【図５】本発明の第３の実施形態の条体の収容容器の展開図である。
【図６】図５の条体の収容容器の部分省略平面図である。
【発明を実施するための形態】
【００１４】
本発明の第１の実施形態の条体の収容容器は、条体、例えば釣り糸を８の字に巻回したものを収容するためのもので、図２に示すような１枚のシート２を組み立てて、図１に示すような形態に形成される。
【００１５】
シート２は、図２に示すように、第１及び第２の主壁、例えば主壁４及び６を有している。主壁４及び６は、例えば同一の形状、具体的には同一の長方形に形成され、それらの長手方向の中心線が一致するように間隔を開けて横長状態に配置されている。その間隔を埋めるように、例えば矩形、具体的には長方形状の連結壁８が縦長の状態に配置され、主壁４及び６を連結している。
【００１６】
主壁４及び６並びに連結壁８に、切れ目１０、１２を入れることによって、第１及び第２の舌片、例えば舌片１４、１６が主壁４、６に形成されている。舌片１４及び１６は、同一形状で連結壁８の長さ方向の中心軸を対称軸として線対象に形成されている。
【００１７】
舌片１４及び１６は、連結壁８と主壁４とに跨った位置及び連結壁８と主壁６とに跨った位置に、それぞれ一端部、例えば係合部１８、２０を有している。係合部１８、２０は、連結壁８の両端側に、主壁４及び６の両長手縁側に伸びる概略台形状の膨大部２２及び２４を有している。この膨大部２２及び２４は、連結壁８の内側に長さの短い上底を有し、連結壁８と主壁４との境界及び連結壁８と主壁６との境界に、長さの長い下底を有し、この下底の中途から主壁４及び６に向かうに従って幅が狭くなる逆台形状に伸びる首部２６及び２８を有している。
【００１８】
これら係合部１８、２０における主壁４、６の両長手縁側の縁部の中途、例えば膨大部２２及び首部２６の境界と、膨大部２４及び首部２８の境界とに、係合用の切り込み３０、３０及び３２、３２がそれぞれ中心側に向かって形成されている。舌片１４及び１６は、後述するように切り目１０、１２から起こされるが、起こされた後に切り目１０、１２に沿って貫通孔が形成される。これら貫通孔に、切り込み２２、２２及び２４、２４が係合する係合用の切り込み３４、３４及び３６、３６が形成されている。これら切り込み３４、３４及び３６、３６は、係合部１８の両長手縁を形成する切り目１０及び１２の部分、例えば首部２６及び３０の長さの短い上底に対応する切り目１０及び１２の部分から主壁４及び６の両長手縁方向に向かって伸びている。
【００１９】
舌片１４及び１６は、首部２６及び２８の一方の端に連ねて、主壁４及び６の一方の長手縁に向かう傾斜縁３７ａ及び３９ａを有し、これに連なり主壁４及び６の中心側に湾曲する湾曲縁３７ｂ及び３９ｂを有し、これに連なって主壁４及び６の一方の長手縁にほぼ平行な直線縁３７ｃ及び３９ｃを有し、これに連ねて主壁４及び６の中心側に湾曲する湾曲縁３７ｄ及び３９ｄを有している。また舌片１４及び１６は、首部２６及び２８の他方の端に連ねて、主壁４及び６の他方の長手縁に向かって直線状に伸びる傾斜縁３７ｅ及び３９ｅも有し、これら傾斜縁３７ｅ及び３９ｅにそれぞれ連なり、主壁４及び６の中心側に向かって湾曲する湾曲縁３７ｆ、３９ｆも有している。膨大部２２、２４及び首部２６、２８の外縁と、傾斜縁３７ａ及び３９ａと、湾曲縁３７ｂ及び３９ｂと、直線縁３７ｃ及び３９ｃと、湾曲縁３７ｄ及び３９ｄと、傾斜縁３７ｅ及び３９ｅと、湾曲縁３７ｆ、３９ｆとに切り目１０及び１２が対応している。舌片１４及び１２は、連結壁８側から主壁４及び６の反対側の端部付近まで伸びる仮想の直線、例えば中心線の両側に位置するように形成され、主壁４及び６の両長手縁側にそれぞれ互いに間隔を位置している縁を有し、これら縁に対応して切り目１０、１２が形成されている。
【００２０】
湾曲縁３７ｄ、３９ｄ及び３７ｆ及び３９ｆにおける固定壁８と反対側の端から、固定壁８側に向かって主壁４及び６の中心線の両側で中心線に沿って切れ目３８、３８及び４０、４０が切り目１０及び１２に連ねて形成されている。これら切れ目３８及び３８の連結壁８側の端部間に折り線４２が形成され、同様に切れ目４０及び４０の連結壁８側の端部間に折り線４４が形成されている。また、切り目３８、３８の中途、例えば切り目３８、３８の中央よりも幾分連結壁８と反対側によった位置間に折り目４６が形成され、同様に切り目４０、４０の中央よりも幾分連結壁８と反対側によった位置に折り目４８が形成されている。これら折り目４２及び４６によって囲われた範囲が折り曲げ片５０とされ、折り目４４及び４８によって囲われた範囲が折り曲げ片５２とされている。
【００２１】
この状態において、舌片１４及び１６が切り目１０及び１２から主壁４及び６の内面（図２の紙面の表方向）に起こされ、折り曲げ片５０、５２が折り目４２、４４を山折りに折り曲げられ、折り目４６、４８が谷折りに折り曲げられている。次に、係合部１８及び２０の切り込み３０、３０及び３２、３２が、切り目１０及び１２の切り込み３４及び３６に係合させられている。このとき、係合部１８及び２０は、主壁４及び６の外面（図２の紙面の裏面）側に出される。この状態において、８の字に巻いた糸が図２に示す主壁４及び６の内面側に配置され、特にその交差部分が連結壁８上に配置され、かつ２つのループの外側部分（交差部分と反対側の部分）が舌片１４及び１６の湾曲縁３７ｄ、３７ｆ及び３９ｄ、３９ｆよりも外側に配置される。そして、主壁４と連結壁８との境界及び主壁６と連結壁８との境界が谷折りされて、図１（ｂ）に示すように主壁４の上に主壁６が重ねられて側面形状がコ字状となるようにされる。これによって、８の字に巻いた糸の収容が完了する。
【００２２】
この条体の収容容器では、舌片１４及び１６を主壁４及び６から切り起こして形成しているので、その製造が容易である。
【００２３】
第２の実施形態の条体の収容容器の展開図を図３に示す。第１の実施形態の条体の収容容器では、図１に示すように折り曲げた後に、糸の広がり等を押さえたり、主壁４及び６が広がるのを押さえたりするために、この収容容器と別個に形成した直方体状の箱内に第１の実施形態の条体の収容容器を収納する必要がある。
【００２４】
第２の実施形態の条体の収容容器は、単独で、糸の広がりを押さえ、かつ、主壁４及び６が広がるのを抑えるように構成したものである。なお、第１の実施形態の収容容器の構成要素と同一部分には同一符号を付して、説明を省略する。
【００２５】
主壁４の一方の長手縁の全域に沿って側壁５４が形成され、同様に主壁６の他方の長手縁の全域に沿って側壁５６が形成されている。これら側壁５４及び５６は、主壁４及び６に対して垂直となるように第３図の紙面の表面側に折り曲げられる。これら側壁５４及び５６の主壁４及び６と反対側の縁部には、連結壁８側からその反対側の中途まで舌片抑え板５８及び６０が形成されている。これら抑え板５８及び６０は、側壁５４及び５６を主壁４及び６に対して垂直に起こした後、主壁４及び６の上部側に折り曲げられる。
【００２６】
同様に主壁４の他方の側縁と主壁６の一方の側縁とには、連結壁８側からその反対側の端部まで中途を一部欠除させた条体で側壁６２及び６４が形成され、その主壁４及び６と反対側の縁部には舌片抑え板６６及び６８が形成されている。これら抑え板６６及び６８も、側壁６２及び６４を主壁４及び６に対して垂直に起こした後、主壁４及び６の上部側に折り曲げられる。
【００２７】
上述したように舌片抑え板５８、６０、６６及び６８を主壁４及び６の上に配置した状態では、これらは、切り起こされた舌片１４及び１６の間に位置し、舌片１４及び１６が内側によって来ることを防止する。
【００２８】
主壁４及び６の連結壁８と反対側の端部には、外壁となる矩形、例えば長方形状の外壁板状体７０及び７２が形成されている。これら外壁板状体７０及び７２に連ねて、中間壁となる矩形、例えば長方形状の中間壁板状体７４及び７６が形成されている。中間壁板状体７４及び７６に連ねて、内壁となる矩形、例えば長方形状の内壁板状体７８及び８０が形成されている。これら内壁板状体７８及び８０に連ねて主壁接触壁となる矩形、例えば長方形状の主壁接触壁板状体８２及び８４が形成されている。
【００２９】
外壁板状体７０及び７２と中間壁板状体７４及び７６の境界縁には、切り込み８６及び８８が形成されている。
【００３０】
また、内壁板状体７８及び８０と主壁接触壁板状体８２及び８４との境界縁の中央には、内壁板状体７８及び８０側に食い込んで係合片９０及び９２を形成するように切り込み９４及び９６が形成されている。この係合片９０及び９２と係合可能な切り込み９８及び１００が主壁４及び６の連結壁８と反対側の端部近傍に形成されている。
【００３１】
内壁板状体７８及び８０の両端（主壁４及び６の両長手縁に相当する端）には外方に突出するように折り曲げ片１０２、１０２及び１０４、１０４が形成されている。同様に、主壁接触壁板状体８２及び８４の長手縁の両端には、それぞれ外方に向かって耳片１０６、１０６及び１０８、１０８が形成されている。
【００３２】
側壁５４及び５６の連結壁８と反対側の端には、側壁５４及び５６と垂直に外方に向かって織り込み片１１０及び１１２が形成されている。同様に側壁６２及び６４の連結壁８と反対側の端にも、側壁６２及び６４と垂直に外方に向かって織り込み片１１４及び１１６が形成されている。なお、織り込み片１１０、１１２、１１４及び１１６の側壁５４、５６、６２及び６４との境界部分には、固定壁８側の端から反対側に切り込み１１８、１２０、１２２及び１２４が形成され、これら切り込み１１８、１２０、１２２及び１２４が噛み合うように、中間壁板状体７４及び７６の内壁板状体７８及び８０との境界付近の両端が幾分欠除されている。
【００３３】
外壁板状体７０及び７２は主壁４及び６に対して直角に外壁板状体７０及び７２と主壁４及び６の境界縁で折り曲げられ、中間壁板状体７４及び７６が主壁４及び６上に位置するように中間壁板状体７４及び７６は、中間壁板状体７４及び７６と外壁板状体７０及び７２の境界縁で直角に折り曲げられる。更に内壁板状体７８及び８０が外壁板状体７０及び７２と平行となるように、内壁板状体７８及び８０と中間壁板状体７４及び７６との境界縁で直角に折り曲げられ、主壁接触壁板状体８２及び８４が主壁４及び６と接触するように主壁接触壁板状体８２及び８４と内壁板状体７８及び８０との境界縁で直角におり曲げられる。この状態で、耳片１０６、１０６及び１０８、１０８は主壁４及び６に接触している。また、係合片９０及び９２が切り込み９８及び１０２に挿入され、外壁板状体７０、７２、中間壁板状体７４、７６、内壁板状体７８、８０及び主壁接触壁板状体８２、８４によって形成された直方体が開くのが防止される。これら直方体の側壁５４、５６及び６２、６４側の２つの開口をそれぞれ閉じるように、折り曲げ片１０２、１０２及び１０４、１０４が内壁板状体７８及び８０に対して直角に折り曲げられる。これら直方体内に織り込み片１１０、１１２、１１４及び１１６が進入するように、織り込み片１１０、１１２、１１４及び１１６が、織り込み片１１０、１１２、１１４及び１１６と側壁５４、５６、６２及び６４との境界縁で直角に折り曲げられる。これによって、側壁５４、５６、６３及び６４と２つの直方体が結合される。
【００３４】
このようにして組み立てられた容器を図４（ａ）、（ｂ）に示す。この容器に内部に収容された糸は、２つの中間壁板状体７４及び７６の接触している面の間から外部に引き出される。
【００３５】
本発明の第３の実施形態の条体の収容容器を図５及び図６に示す。第１及び第２の実施形態では、舌片１４及び１６が連結壁８から切り離されていたのに対し、第３の実施形態では、舌片１４ａ及び１６ａは、図５に示すように連結壁８から切り離されていない。
【００３６】
すなわち、主壁４及び６から舌片１４ａ及び１６ａを切り離すための切り目１２６ａ、１２６ｂ及び１２８ａ及び１２８ｂが連結壁８と主壁４及び６との境界から一部連結壁８内に進入した状態で終了している。切り離されずに、連結壁８内に一部切り込んだ状態のままである。そして主壁４及び６と連結壁８との境界において切り目１２６ａ、１２６ｂ及び１２８ａ、１２８ｂの両側に切り込み１３０、１３０及び１３２、１３２が、連結壁８の両端縁（主壁４及び６の長手縁と繋がっている縁）に到達しないように形成されている。
【００３７】
切り目１２６ａ及び１２８ａをつなぐように連結壁８内には折り線１３４が形成され、同様に切り目１２６ｂ及び１２８ｂをつなぐように連結壁８内には折り線１３６が形成されている。さらに、切り目１３０及び１３２の先端間をつなぐように連結壁８内には折り線１３８が形成され、切り目１３０、１３０及び１３２、１３２の先端間をつなぐように連結壁８内には折り線１３８、１３８が形成されている。また、切り目１３０、１３０及び１３２、１３２の先端から連結壁８の端縁まで折り線１４０、１４０、１４０、１４０が形成され。切り目１２６ａ、１２６ｂの間をつなぐように折り線１４２が形成され、切り目１２８ａ、１２８ｂ間をつなぐように折り線１４４が形成されている。さらに、切り込み１３０、１３０と切れ目１２６ａ、１２６ｂとの間、切り込み１３２、１３２と切れ目１２８ａ、１２８ｂとの間に、それぞれ折り線１４６、１４６、１４６、１４６が形成されている。
【００３８】
連結壁８の両端縁の中央には、それぞれ耳片１４８、１４８が形成され、連結壁８の両端縁との境界には折り線１４９、１４９が形成されている。これら耳片１４８、１４８が係合する切り込み１５０、１５０、１５０、１５０が、側壁５４ａ、５６ａと舌片抑え板５８ａ、６０ａとの境界及び側壁６２ａ、６４ａと舌片抑え板６６ａ、６８ａとの境界に形成されている。
【００３９】
他の構成は、第２の実施形態と同様であるので、詳細な説明は省略する。
【００４０】
この条体の収容容器では、図６に示すように、折り線１３８、１３８での折り角度を調整することによって、側壁５４ａ、５６ａと側壁６２ａ、６４ａとの間の距離（幅寸法）を調整することができ、収容される８の字状に巻かれた糸のループの径に対応した幅寸法とすることができる。
【００４１】
第３の実施形態では、第２の実施形態と同様に側壁や舌片抑え板等を設けたが、第１の実施形態と同様にこれらを省略することもできる。上記の実施形態では、条体として糸を使用したが、これに限ったものではなく、ひもや光ファイバー等を使用することもできる。
【符号の説明】
【００４２】
４  ６  （第１及び第２の）主壁
８  連結壁
１４  １６  （第１及び第２の）舌片
【図１】
0005739263.tif 000002
【図２】
0005739263.tif 000003
【図３】
0005739263.tif 000004
【図４】
0005739263.tif 000005
【図５】
0005739263.tif 000006
【図６】
0005739263.tif 000007